【手続補正書】
【提出日】平成29年2月23日(2017.2.23)
【手続補正１】
【補正対象書類名】明細書
【補正対象項目名】０００８
【補正方法】変更
【補正の内容】
【０００８】
本発明は、３次元モデルにおいて形状変更された部分の色を容易に変更可能な仕組みを供することを目的とする。
【手続補正２】
【補正対象書類名】明細書
【補正対象項目名】０００９
【補正方法】変更
【補正の内容】
【０００９】
本発明は、３次元モデルと、前記３次元モデルの形状を変更するための情報に基づき形状変更された部分の色を決定する条件を記憶する記憶手段を備える情報処理装置を制御するためのプログラムであって、前記情報処理装置を、前記３次元モデルの形状を変更するための情報が、前記記憶手段に記憶された条件を満たす情報か判定する判定手段と、前記判定手段により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御手段として機能させるためのプログラムである。
【手続補正３】
【補正対象書類名】明細書
【補正対象項目名】００１０
【補正方法】変更
【補正の内容】
【００１０】
本発明によれば、３次元モデルにおいて形状変更された部分の色を容易に変更可能な仕組みを提供することができる。
【手続補正４】
【補正対象書類名】特許請求の範囲
【補正対象項目名】全文
【補正方法】変更
【補正の内容】
【特許請求の範囲】
【請求項１】
３次元モデルと、前記３次元モデルの形状を変更するための情報に基づき形状変更された部分の色を決定する条件を記憶する記憶手段を備える情報処理装置を制御するためのプログラムであって、
前記情報処理装置を、
前記３次元モデルの形状を変更するための情報が、前記記憶手段に記憶された条件を満たす情報か判定する判定手段と、
前記判定手段により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御手段として機能させるためのプログラム。
【請求項２】
前記情報処理装置を、
前記３次元モデルの形状変更の種類に応じた複数の前記形状を変更するための情報の中から、所定の形状変更の種類にかかる情報を取得する取得手段として機能させ、
前記判定手段を、前記取得手段により取得された所定の形状変更の種類にかかる情報が、前記記憶手段に記憶された条件を満たす情報か判定する手段として機能させるための請求項１に記載のプログラム。
【請求項３】
前記所定の形状変更の種類にかかる情報とは、前記３次元モデルに穴を空ける種類の情報であって、
前記形状変更された部分の色とは、前記３次元モデルに穴を空ける種類の情報に基づき形状変更され空けられる穴の色であり、
前記取得手段を、複数の前記形状を変更するための情報の中から、前記３次元モデルに穴を空ける種類の情報を取得する手段として機能させ、
前記制御手段を、前記判定手段により前記３次元モデルに穴を空ける種類の情報が前記条件を満たす情報であると判定された場合に、前記３次元モデルに穴を空ける種類の情報に基づいて形状変更され空けられる穴の色を、当該条件により決定される色に変更すべく制御する手段として機能させるための請求項２に記載のプログラム。
【請求項４】
前記３次元モデルの形状を変更するための情報とは、フィーチャとして管理されている、形状変更の設定を示す情報であって、
前記判定手段を、前記３次元モデルにおいてフィーチャとして管理されている前記形状変更の設定を示す情報が前記条件を満たす情報か判定する手段として機能させ、
前記制御手段を、前記３次元モデルにおいてフィーチャとして管理されている情報であって、前記条件を満たす前記形状変更の設定を示すと情報であると判定されたフィーチャに基づいて形状変更されている部分の色を、当該条件により決定される色に変更すべく制御する手段として機能させるための請求項１乃至３のいずれか１項に記載のプログラム。
【請求項５】
前記情報処理装置を、
前記３次元モデルにおける、前記形状を変更するための情報の追加を検知する検知手段として機能させ、
前記判定手段を、前記検知手段により前記形状を変更するための情報の追加が検知された場合に、当該追加が検知された３次元モデルにおける前記形状を変更するための情報が前記記憶手段に記憶された条件を満たす情報か判定する手段として機能させるための請求項１乃至４のいずれか１項に記載のプログラム。
【請求項６】
前記３次元モデルにおける、前記形状を変更するための情報に基づき形状変更された部分の色の変更の制御を、当該色の変更を指示するユーザの手動操作によって行う手動設定と、前記形状を変更するための情報の追加に応じて自動で行う自動設定のどちらで行うかを設定する設定手段を備えた情報処理装置を制御するためのプログラムであって、
前記判定手段を、前記設定手段において前記手動設定がされている場合は、色の変更を指示するユーザの手動操作に応じて、当該手動操作を受け付けた３次元モデルにおける前記形状を変更するための情報が前記記憶手段に記憶された条件を満たす情報か判定し、前記設定手段において前記自動設定がされている場合は、前記検知手段により検知された前記形状の変更のための情報の追加に応じて、当該追加が検知された３次元モデルにおける前記形状を変更するための情報が前記記憶手段に記憶された条件を満たす情報か判定する手段として機能させるための請求項５に記載のプログラム。
【請求項７】
前記情報処理装置を、
同じ前記条件を満たす前記３次元モデルの形状を変更するための情報に基づいて形状変更された部分の中に異なる色の部分があるか判定する色判定手段と、
前記色判定手段で、同じ条件を満たす前記形状を変更するための情報に基づいて形状変更された部分の中に異なる色の部分があると判定された場合に、当該同じ条件を満たす前記形状を変更するための情報に基づいて形状変更された部分の中に異なる色の部分がある旨を通知する通知手段として機能させるための請求項１乃至６のいずれか１項に記載のプログラム。
【請求項８】
３次元モデルと、前記３次元モデルの形状を変更するための情報に基づき形状変更された部分の色を決定する条件を記憶する記憶手段を備える情報処理装置であって、
前記３次元モデルの形状を変更するための情報が、前記記憶手段に記憶された条件を満たす情報か判定する判定手段と、
前記判定手段により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御手段と、
を備えることを特徴とする情報処理装置。
【請求項９】
３次元モデルと、前記３次元モデルの形状を変更するための情報に基づき形状変更された部分の色を決定する条件を記憶する記憶手段を備える情報処理装置の制御方法であって、
前記３次元モデルの形状を変更するための情報が、前記記憶手段に記憶された条件を満たす情報か判定する判定工程と、
前記判定工程により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御工程と、
を含むことを特徴とする情報処理装置の制御方法。
【請求項１０】
３次元モデルと、前記３次元モデルの形状を変更するための情報に基づき形状変更された部分の色を決定する条件を記憶する記憶手段を備えるサーバ装置と、前記３次元モデルを表示する表示部を備える情報処理装置とを含む情報処理システムを制御するプログラムであって、
前記情報処理システムを、
前記３次元モデルの形状を変更するための情報が、前記記憶手段に記憶された条件を満たす情報か判定する判定手段と、
前記判定手段により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御手段として機能させるためのプログラム。
【請求項１１】
３次元モデルと、前記３次元モデルの形状を変更するための情報に基づき形状変更された部分の色を決定する条件を記憶する記憶手段を備えるサーバ装置と、前記３次元モデルを表示する表示部を備える情報処理装置とを含む情報処理システムであって、
前記３次元モデルの形状を変更するための情報が、前記記憶手段に記憶された条件を満たす情報か判定する判定手段と、
前記判定手段により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御手段と、
を備えることを特徴とする情報処理システム。
【請求項１２】
３次元モデルと、前記３次元モデルの形状を変更するための情報に基づき形状変更された部分の色を決定する条件を記憶する記憶手段を備えるサーバ装置と、前記３次元モデルを表示する表示部を備える情報処理装置とを含む情報処理システムの制御方法であって、
前記３次元モデルの形状を変更するための情報が、前記記憶手段に記憶された条件を満たす情報か判定する判定工程と、
前記判定工程により、前記３次元モデルの形状を変更するための情報が前記条件を満たす情報であると判定された場合に、当該３次元モデルの形状を変更するための情報に基づいて形状変更された部分の色を、当該条件により決定される色に変更すべく制御する制御工程と、
を含むことを特徴とする制御方法。